(57)【要約】 【課題】徹照観察モードに移行した場合、被検眼瞳孔と共役な少なくとも３経線方向の開口部の光軸からの半径をより小さくした開口部へ自動で切換える。これにより、水晶体の混濁が無く被検眼の固有情報を取得（例えば眼屈折力情報測定）可能な箇所を容易かつ迅速に探し出せる眼科装置を提供する。【解決手段】被検眼の固有情報を第１の開口により取得する固有情報取得手段と、前記被検眼の徹照像を取得する徹照像取得手段と、前記徹照像を取得する場合に、前記第１の開口よりも小さい第２の開口に変更する制御手段と、を有する。【選択図】図１
2013128648.tif 000002
【特許請求の範囲】
【請求項１】
被検眼の固有情報を第１の開口により取得する固有情報取得手段と、
前記被検眼の徹照像を取得する徹照像取得手段と、
前記徹照像を取得する場合に、前記第１の開口よりも小さい第２の開口に変更する制御手段と、
を有することを特徴とする眼科装置。
【請求項２】
前記制御手段が、前記固有情報を取得する場合に、前記第２の開口から前記第１の開口に変更することを特徴とする請求項１に記載の眼科装置。
【請求項３】
前記固有情報取得手段の光路に挿脱可能に設けられ、前記第１の開口を形成する第１の部材と、
前記固有情報取得手段の光路に挿脱可能に設けられ、前記第２の開口を形成する第２の部材と、を有し、
前記制御手段が、前記徹照像を取得する場合に、前記第１の部材を前記光路から離脱し且つ前記第２の部材を前記光路に挿入することを特徴とする請求項１あるいは２に記載の眼科装置。
【請求項４】
前記制御手段は、前記固有情報が所定の条件を満たさない場合、前記徹照像を動画像として取得するように前記徹照像取得手段を制御することを特徴とする請求項１乃至３のいずれか１項に記載の眼科装置。
【請求項５】
前記制御手段は、前記固有情報が所定の条件を満たす場合、前記徹照像を動画像として取得せず、取得結果を表示手段に表示し被検眼の固有情報の取得を終了することを特徴とする請求項４に記載の眼科装置。
【請求項６】
被検眼眼底に光束を投影し被検眼眼底からの反射光束を撮像して眼屈折力情報を測定する眼屈折力情報測定手段であって、被検眼眼底からの反射光路内または被検眼眼底への投影光路内で被検眼瞳孔と共役な位置に少なくとも３経線方向の開口部を有する第１の開口を備えた眼屈折力情報測定手段と、
被検眼眼底からの反射光束により照明された被検眼瞳孔領域を観察する徹照観察手段と、
を有し、
徹照観察を行う徹照観察モードでは、被検眼眼底からの反射光路内または被検眼眼底への投影光路内で被検眼瞳孔と共役な位置に少なくとも３経線方向の開口部を備えた第２の開口を介して少なくとも３経線方向の被検眼眼底からの前記反射光束を撮像可能で、撮像された前記反射光束の状態に基づき被検眼に対する装置の位置合わせ状態を変更可能な眼科装置であって、
前記眼屈折力情報測定手段を用いた眼屈折力情報測定モードから前記徹照観察モードに移行する場合、前記眼屈折力情報測定モードにおける前記第１の開口から前記徹照観察モードにおける前記第２の開口へ自動的に切り換える制御手段を有し、
前記第２の開口を被検眼瞳孔に投影した場合の開口部の光軸からの半径を、前記第１の開口を被検眼瞳孔に投影した場合の開口部の光軸からの半径より小さく設定したことを特徴とする眼科装置。
【請求項７】
被検眼眼底に光束を投影し被検眼眼底からの反射光束を撮像して眼屈折力情報を測定する眼屈折力情報測定手段であって、被検眼眼底からの反射光路内または被検眼眼底への投影光路内で被検眼瞳孔と共役な位置に少なくとも３経線方向の開口部を有する第１の開口を備えた眼屈折力情報測定手段と、
被検眼眼底からの反射光束により照明された被検眼瞳孔領域を観察する徹照観察手段と、
を有し、
徹照観察を行う徹照観察モードでは、被検眼眼底からの反射光路内または被検眼眼底への投影光路内で被検眼瞳孔と共役な位置に少なくとも３経線方向の開口部を備えた第２の開口を介して少なくとも３経線方向の被検眼眼底からの前記反射光束を撮像可能で、撮像された前記反射光束の状態に基づき被検眼に対する装置の位置合わせ状態を変更可能な眼科装置であって、
前記徹照観察モードから前記眼屈折力情報測定手段を用いた眼屈折力情報測定モードへ移行する場合、前記徹照観察モードにおける前記第２の開口から前記眼屈折力情報測定モードにおける前記第１の開口へ自動的に切り換える制御手段を有し、
前記第１の開口を被検眼瞳孔に投影した場合の開口部の光軸からの半径を、前記第２の開口を被検眼瞳孔に投影した場合の開口部の光軸からの半径より大きく設定したことを特徴とする眼科装置。
【請求項８】
前記第１の開口、前記第２の開口は、前記開口部としてリング状開口部を有することを特徴とする請求項６または７に記載の眼科装置。
【請求項９】
前記制御手段は、前記徹照観察モードにおいて徹照観察される被検眼瞳孔領域、もしくは前記眼屈折力情報測定モードにおいて撮像される被検眼眼底からの反射光束を表示手段に表示する開始信号と同期して、前記第１の開口もしくは前記第２の開口を切換えることを特徴とする請求項６乃至８のいずれか1項に記載の眼科装置。
【請求項１０】
前記開始信号と同期して、被検眼眼底からの前記反射光束を撮像する撮像手段の撮像ゲインを変化させることを特徴とする請求項９に記載の眼科装置。
【請求項１１】
前記開始信号と同期して、被検眼眼底へ投影する光束の光量を変化させることを特徴とする請求項９に記載の眼科装置。
【請求項１２】
被検眼の固有情報を第１の開口により取得する固有情報取得ステップと、
前記被検眼の徹照像を取得する徹照像取得ステップと、
前記徹照像を取得する場合に、前記第１の開口よりも小さい第２の開口に変更する制御ステップと、
を有することを特徴とする眼科制御方法。
【請求項１３】
請求項１２に記載の全ての前記ステップをコンピュータに実行させることを特徴とする眼科制御プログラム。
【発明の詳細な説明】
【技術分野】
【０００１】
本発明は、被検眼の固有情報を取得する（例えば、被検眼の眼屈折力などを測定する）機能と、被検眼眼底からの反射光束により照明された瞳孔領域を観察（徹照観察）する機能を備えた眼科装置および眼科制御方法並びにプログラムに関するものである。
【背景技術】
【０００２】
被検眼の眼屈折力等を測定する眼科装置において、特許文献１のように、高齢者など小瞳孔径の被検眼を測定する場合に、瞳孔と共役な位置に配置されたリング状開口部を介して眼底に投影した測定光束が被検眼虹彩に蹴られるか否かを自動で判定する。そして、測定画像あるいは前眼部画像に基づいて自動で判定した結果、蹴られると判断された場合には、リング状開口部の径を小さくするように切り換えることで、測定光束が瞳孔に蹴られない状態で測定できる構成が知られている。
【先行技術文献】
【特許文献】
【０００３】
【特許文献１】特許第４２３３４２６号公報
【発明の概要】
【発明が解決しようとする課題】
【０００４】
しかしながら、特許文献１の眼科装置では、測定光束が被検眼虹彩に蹴られるか否かを自動判定しているが、水晶体が混濁している場合には、自動でリング状開口部が通常瞳孔径用から小瞳孔径用には切り換わらない。そのため、徹照観察で水晶体の混濁が無く測定可能な箇所を探す時は、通常瞳孔径用のリング状開口部が光軸上に配置され、測定光束の径が大きい状態にあるため、水晶体の混濁している範囲が広い場合には、通常瞳孔径用のリング像が蹴られる。このように蹴られた状態で、徹照観察してしまうため、測定可能な箇所が見つけられない可能性がある。
【０００５】
本発明の目的は、徹照観察モードに移行した場合、被検眼瞳孔と共役な少なくとも３経線方向の開口部の光軸からの半径をより小さくした開口部へ自動で切換える。これにより、水晶体の混濁が無く被検眼の固有情報を取得（例えば眼屈折力情報測定）可能な箇所を容易かつ迅速に探し出せる眼科装置を提供することにある。
【０００６】
また本発明の他の目的は、被検眼の固有情報取得モード（例えば眼屈折力情報測定モード）に移行した場合、被検眼瞳孔と共役な少なくとも３経線方向の開口部の光軸からの半径をより大きくした開口部へ自動で切換える。これにより、水晶体の混濁が無く被検眼の固有情報を取得（例えば眼屈折力情報測定）可能な箇所での固有情報の取得を容易かつ迅速に行える眼科装置を提供することにある。
【課題を解決するための手段】
【０００７】
上記目的を達成するため、本発明に係る眼科装置の代表的な構成は、被検眼の固有情報を第１の開口により取得する固有情報取得手段と、前記被検眼の徹照像を取得する徹照像取得手段と、前記徹照像を取得する場合に、前記第１の開口よりも小さい第２の開口に変更する制御手段と、を有することを特徴とする。
【０００８】
また、本発明に係る眼科装置の他の代表的な構成は、被検眼眼底に光束を投影し被検眼眼底からの反射光束を撮像して眼屈折力情報を測定する眼屈折力情報測定手段であって、被検眼眼底からの反射光路内または被検眼眼底への投影光路内で被検眼瞳孔と共役な位置に少なくとも３経線方向の開口部を有する第１の開口を備えた眼屈折力情報測定手段と、被検眼眼底からの反射光束により照明された被検眼瞳孔領域を観察する徹照観察手段と、を有し、徹照観察を行う徹照観察モードでは、被検眼眼底からの反射光路内または被検眼眼底への投影光路内で被検眼瞳孔と共役な位置に少なくとも３経線方向の開口部を備えた第２の開口を介して少なくとも３経線方向の被検眼眼底からの前記反射光束を撮像可能で、撮像された前記反射光束の状態に基づき被検眼に対する装置の位置合わせ状態を変更可能な眼科装置であって、前記眼屈折力情報測定手段を用いた眼屈折力情報測定モードから前記徹照観察モードに移行する場合、前記眼屈折力情報測定モードにおける前記第１の開口から前記徹照観察モードにおける前記第２の開口へ自動的に切り換える制御手段を有し、前記第２の開口を被検眼瞳孔に投影した場合の開口部の光軸からの半径を、前記第１の開口を被検眼瞳孔に投影した場合の開口部の光軸からの半径より小さく設定したことを特徴とする。
【０００９】
更に、本発明に係る眼科装置の他の代表的な構成は、被検眼眼底に光束を投影し被検眼眼底からの反射光束を撮像して眼屈折力情報を測定する眼屈折力情報測定手段であって、被検眼眼底からの反射光路内または被検眼眼底への投影光路内で被検眼瞳孔と共役な位置に少なくとも３経線方向の開口部を有する第１の開口を備えた眼屈折力情報測定手段と、被検眼眼底からの反射光束により照明された被検眼瞳孔領域を観察する徹照観察手段と、を有し、徹照観察を行う徹照観察モードでは、被検眼眼底からの反射光路内または被検眼眼底への投影光路内で被検眼瞳孔と共役な位置に少なくとも３経線方向の開口部を備えた第２の開口を介して少なくとも３経線方向の被検眼眼底からの前記反射光束を撮像可能で、撮像された前記反射光束の状態に基づき被検眼に対する装置の位置合わせ状態を変更可能な眼科装置であって、前記徹照観察モードから前記眼屈折力情報測定手段を用いた眼屈折力情報測定モードへ移行する場合、前記徹照観察モードにおける前記第２の開口から前記眼屈折力情報測定モードにおける前記第１の開口へ自動的に切り換える制御手段を有し、前記第１の開口を被検眼瞳孔に投影した場合の開口部の光軸からの半径を、前記第２の開口を被検眼瞳孔に投影した場合の開口部の光軸からの半径より大きく設定したことを特徴とする。
【００１０】
また、本発明に係る眼科制御方法の代表的な構成は、被検眼の固有情報を第１の開口により取得する固有情報取得ステップと、前記被検眼の徹照像を取得する徹照像取得ステップと、前記徹照像を取得する場合に、前記第１の開口よりも小さい第２の開口に変更する制御ステップと、を有することを特徴とする。
【００１１】
また、眼科制御プログラムも本発明の他の一側面を構成する。
【発明の効果】
【００１２】
本発明によれば、徹照観察モードに移行した場合、被検眼瞳孔と共役な少なくとも３経線方向の開口部の光軸からの半径をより小さくした開口部へ自動で切換えられる。これにより、水晶体の混濁が無く被検眼の固有情報を取得（例えば眼屈折力情報測定）可能な箇所を容易かつ迅速に探し出せる。あるいは、被検眼の固有情報取得モード（例えば眼屈折力情報測定モード）に移行した場合、被検眼瞳孔と共役な少なくとも３経線方向の開口部の光軸からの半径をより大きくした開口部へ自動で切換えられる。これにより、水晶体の混濁が無く被検眼の固有情報を取得（例えば眼屈折力情報測定）可能な箇所での固有情報の取得を容易かつ迅速に行える。
【図面の簡単な説明】
【００１３】
【図１】本発明の実施形態に係る眼屈折力計の測定ユニットの光学系の配置図である。
【図２】本発明の実施形態に係る眼屈折力計の外観図である。
【図３】本発明の実施形態に係る眼屈折力計の測定ユニットにおけるアライメントプリズム絞りの斜視図である。
【図４】（ａ）は本発明の実施形態に係る眼屈折力計の絞り板切換え機構の初期状態の説明図、（ｂ）は絞り板切換え機構の駆動状態の説明図である。
【図５】絞り板切換え機構に設けられるリング状開口部の拡大詳細図である。
【図６】（ａ）は水晶体に混濁がある場合の徹照像、（ｂ）は撮像されるリング像の説明図である。
【図７】本発明の実施形態に係る眼屈折力計のフローチャートである。
【発明を実施するための形態】
【００１４】
以下、本発明の実施の形態を図面を用いて説明する。
【００１５】
《第１の実施形態》
図２は本発明に係る眼科装置の一例である眼屈折力計の構成図を示している。
【００１６】
（装置構成）
図２で、測定ユニット１１０（後に詳述）の被検者側端部には、アライメントを行うための光源（後に詳述）を備えた光源ユニット１１１が設けられている。光源ユニット１１１には、更に角膜曲率を測定するための光源などを設けても良い。また、フレーム１００には、被検眼に対して測定ユニット１１０を位置合わせするための操作部材であるジョイスティック１０１が設けられており、測定に際してのアライメント時にはジョイスティックを傾倒させることで、位置合わせを行うことができる。
【００１７】
屈折力の測定を行う際には、被検者は顎受け１１２上に顎を乗せ、かつフレーム１００に固定されている顔受けフレーム（不図示）の額受け部分に額を押し当てることで被検眼の位置を固定させることができる。なお、顎受け１１２は、被検者の顔のサイズに応じて顎受け駆動機構１１３によりＹ軸方向に調整可能である。測定ユニット１１０の検者側端部には、被検眼を観察するための表示部材であるＬＣＤモニタ１１６が設けられており、測定結果等を表示することができる。
【００１８】
（前眼部観察と指標を用いたアライメント）
１）アライメント光学系
測定ユニット１１０に関する図１で、ダイクロイックミラー２０６の反射方向には、被検眼の前眼部観察（粗の位置合わせ）と指標を用いたアライメント検出（微の位置合わせ）が共用されるアライメント受光光学系が配置されている。即ち、ダイクロイックミラー２１２の反射方向の光路０４上には、アライメントプリズム絞り２２３（不図示のソレノイドにより光路に挿抜される）、レンズ２１８、撮像素子２２０が順に配列されている。
【００１９】
被検眼の前眼部の斜め前方には、７８０ｎｍ程度の波長を有する前眼部照明光源２２１ａ、２２１ｂが配置されている。この前眼部照明光源２２１ａ、２２１ｂによって照明された被検眼の前眼部像の光束は、以下のように撮像素子２２０の受光センサ面に結像する。即ち、ダイクロイックミラー２０６、レンズ２１１、ダイクロイックミラー２１２、アライメントプリズム絞りの中央開口部２２３ａ（図３）を介して、撮像素子２２０の受光センサ面に結像する。
【００２０】
撮像素子２２０で撮像された被検眼Ｅの前眼部像は、メモリ（不図示）に格納され、メモリ（不図示）に格納された画像から被検眼Ｅの瞳孔と以下に述べる角膜反射像を抽出しアライメント検出を行う。なお、撮像素子２２０で撮像された被検眼Ｅの前眼部像は、文字，図形データと合成され、ＬＣＤモニタ１１６上に表示可能である。
【００２１】
アライメント検出のための光源は、眼屈折力測定用の測定光源２０１が兼用している。アライメント時には、拡散板挿抜ソレノイド（不図示）により半透明の拡散板２２２が光路に挿入される。拡散板２２２が挿入される位置は、測定光源２０１の投影レンズ２０２による一次結像位置であり、かつレンズ２０５の焦点位置に挿入される。これにより、測定光源２０１の像が拡散板２２２上に一旦結像して、それが二次光源となりレンズ２０５から被検眼Ｅに向かって太い光束の平行光束として投影される。
【００２２】
この平行光束が被検眼角膜Ｅｆで反射されて輝点像を形成し、その光束は再びダイクロイックミラー２０６でその一部が反射される。そして、レンズ２１１を介してダイクロイックミラー２１２で反射し、図３に示すアライメントプリズム絞りの開口部２２３ａおよびアライメントプリズム３０１ａ、３０１ｂを透過し、レンズ２１８に収斂されて撮像素子２２０に結像される。アライメントプリズム絞り２２３の中央の開口部２２３ａは、前眼部照明光源２２１ａ、２２１ｂの波長７８０ｎｍ以上の光束が通るようになっている。
【００２３】
よって、前眼部照明光源２２１ａ、２２１ｂにより照明された前眼部像の反射光束は、角膜Ｅｆの反射光束の経路と同様に観察光学系を辿り、アライメントプリズム絞り２２３の開口部２２３ａを介して、結像レンズ２１８により撮像素子２２０に結像される。また、アライメントプリズム３０１ａを透過した光束は、下方向に屈折され、アライメントプリズム３０１ｂを透過した光束は逆に上方向に屈折されるように構成されている。これら絞りを介した光束の位置関係により、被検眼Ｅと装置のアライメントを行うことができる。
【００２４】
アライメントプリズム絞り２２３の挿抜により、アライメントプリズム絞り２２３が光路０４上にある時にはアライメントを、光路から退避しているときは前眼部観察または徹照観察（後に詳述）を行うことができる。ここで、図３にアライメントプリズム絞り２２３の形状を示す。円盤状の絞り板に３つの開口部２２３ａ、２２３ｂ、２２３ｃが設けられ、両側の開口部２２３ａ、２２３ｂのダイクロイックミラー２１２側には波長８８０ｎｍ付近のみの光束を透過するアライメントプリズム３０１ａ、３０１ｂが貼付されている。
【００２５】
アライメント時には、角膜Ｅｃによって反射結像した角膜輝点は、アライメントプリズム絞り２２３の開口部２２３ａ、２２３ｂ、２２３ｃおよびプリズム３０１ａ、３０１ｂにより分割される。そして、外眼照明光源２２１ａ、２２１ｂによって照明された被検眼Ｅの前眼部像と、外眼照明光源２２１ａ、２２１ｂの輝点像２２１ａ’、２２１ｂ’とともに、撮像素子２２０で指標像Ｔａ、Ｔｂ、Ｔｃとして撮像される。図３のアライメントプリズム３０１ａを透過した光束が左方向に屈折される一方、アライメントプリズム３０１ｂを透過した光束が右方向に屈折されることで、３つの輝点Ｔａ、Ｔｂ、Ｔｃを取得することができる。
【００２６】
また、３つの輝点Ｔａ、Ｔｂ、Ｔｃを検出すると、システム制御部４０１はモータ駆動回路４１３を制御し、まず、中心の輝点Ｔｃを中心方向に一致させるように測定部１１０を上下左右方向に駆動させる。次に、システム制御部４０１は、輝点Ｔａ、Ｔｂが輝点Ｔｃに対して水平方向（横方向、左右方向）に並ぶように測定部１１０を前後方向に駆動させる。そして、３つの角膜輝点Ｔａ、Ｔｂ、Ｔｃが水平方向に１列に並んだ状態でアライメントを完了する。
【００２７】
なお、アライメントプリズム絞り２２３は、図３のように光路上に各絞りが縦方向に並ぶように配置されているが、各絞りが横方向に並ぶように配置されても良い。このとき、光束はそれぞれのプリズムにより上下方向に屈折され、測定部が前後方向に位置合わせされた場合、３つの輝点は上下方向に並ぶことになる。
【００２８】
２）装置の移動
図２で、ベース１００に対してフレーム１０２は左右方向（以下、Ｘ軸方向）に移動可能である。Ｘ軸方向の駆動機構は、ベース１００上に固定されたＸ軸駆動モータ１０３と、モータ出力軸に連結された送りねじ（不図示）と、送りねじ上をＸ軸方向に移動可能でフレーム１０２に固定されたナット（不図示）で構成されている。モータ１０３の回転により、送りねじ、ナットを介してフレーム１０２がＸ軸方向に移動する。
【００２９】
フレーム１０２に対してフレーム１０６は上下方向（以下、Ｙ軸方向）に移動可能である。Ｙ軸方向の駆動機構は、フレーム１０２上に固定されたＹ軸駆動モータ１０４と、モータ出力軸に連結された送りねじ１０５と、送りねじ上をＹ軸方向に移動可能でフレーム１０６に固定されたナット１１４で構成されている。モータ１０４の回転により、送りねじ、ナットを介してフレーム１０６がＹ軸方向に移動する。
【００３０】
フレーム１０６に対してフレーム１０７は前後方向（以下、Ｚ軸方向）に移動可能である。Ｚ軸方向の駆動機構は、フレーム１０７上に固定されたＺ軸駆動モータ１０８と、モータ出力軸に連結された送りねじ１０９と、送りねじ上をＺ軸方向に移動可能でフレーム１０６に固定されたナット１１５で構成されている。モータ１０８の回転により、送りねじ１０９、ナットを介してフレーム１０７がＺ軸方向に移動する。フレーム１０７上には測定を行うための測定ユニット１１０が固定されている。
【００３１】
（眼屈折力情報測定）
１）測定ユニットの全体構成および測定原理
図１は測定ユニット１１０の内部の光学系配置図である。被検眼の固有情報として眼屈折力を取得（測定）する固有情報取得手段としての測定ユニット１１０を用いる眼屈折力情報測定モードでは、以下のような光源の点灯、消灯を形成する。即ち、眼屈折力情報測定モードでは、波長８８０ｎｍの光を照射する眼屈折力測定用光源２０１が点灯する状態で、前眼部照明光源２２１ａ、２２１ｂが消灯し、拡散板２２２が光路外に配置される。なお、アライメントプリズム絞り２２３は光路内にあっても良いし、光路外にあっても良い。
【００３２】
波長８８０ｎｍの光を照射する眼屈折力測定用光源２０１から被検眼Ｅに至る光路０１上には、レンズ２０２、被検眼Ｅの瞳孔Ｅｐとほぼ共役な絞り２０３、孔あきミラー２０４、レンズ２０５が順に配置される。更に、被検眼Ｅ側から波長８８０ｎｍ以下の赤外および可視光を全反射し波長８８０ｎｍ以上の光束を一部反射するダイクロイックミラー２０６が、配置されている。
【００３３】
孔あきミラー２０４の反射方向の光路０２上には、瞳孔Ｅｐとほぼ共役でリング状のスリットを備えた絞り２０７、光束分光プリズム２０８、レンズ２０９、撮像素子２１０が順に配置されている。上述した光学系は眼屈折力測定用であり、測定光源２０１から発せられた光束は、絞り２０３で光束が絞られつつ、レンズ２０２によりレンズ２０５の手前で１次結像され、レンズ２０５、ダイクロイックミラー２０６を透過して被検眼Ｅの瞳中心に投光される。
【００３４】
投光された光束の反射光は、瞳孔中心を通って再びレンズ２０５に入射される。入射された光束はレンズ２０５を透過後に、孔あきミラー２０４の周辺で反射される。反射された光束は、被検眼瞳孔Ｅｐとほぼ共役な絞り２０７および光束分光プリズム２０８で瞳分離され、撮像素子２１０の受光面にリング像として投影される。このリング像は、ＬＣＤモニタ１１６に眼屈折力値と共に表示可能であるが、ＬＣＤモニタ１１６にこのリング像を表示しない構成とすることもできる。
【００３５】
被検眼Ｅが正視眼であれば、撮像素子２１０の受光面にリング像は所定の円になり、近視眼では正視眼に対して円が小さく、遠視眼では正視眼に対して円が大きくなり投影される。被検眼Ｅに乱視がある場合はリング像は楕円になり、水平軸と楕円のなす角度が乱視軸角度となる。この楕円の係数を基に屈折力を求める。
【００３６】
ここで、図５に示すように、絞り板３１１は、絞り２０７として、通常瞳孔径用に測定するための第１の開口部である通常瞳孔径用リング状開口部２０７ａを形成する第１の部材として機能する。また、通常瞳孔径２０７ａよりも内外径ともに小さい第２の開口部である小瞳孔径用リング状開口部２０７ｂを形成する第２の部材としても機能する。即ち、小瞳孔径用リング状開口部２０７ｂの光軸からの半径（小瞳孔径用リング状開口部２０７ｂの内径に相当）は、通常瞳孔径用リング状開口部２０７ａの光軸からの半径（通常瞳孔径用リング状開口部２０７ａの内径に相当）より小さく設定される。
【００３７】
絞り板３１１は、アクチュエータ３０２の駆動により、軸３０４を中心に回動して複数の停止位置を有し、それぞれの停止位置で光路に挿脱可能な通常瞳孔径用リング状開口部２０７ａ、あるいは小瞳孔径用リング状開口部２０７ｂが光軸上に配置される。
【００３８】
初期状態では、図４（ａ）のように、通常瞳孔径用リング状開口部２０７ａがほぼ光軸上に位置する。本体制御部よりアクチュエータ駆動信号が印加されると、アクチュエータ３０２が駆動し、レバー３０３が反時計回りに回動しストッパ（不図示）により停止する。その時、通常瞳孔径用リング状開口部２０７ａが光路から離脱しており、絞り板３１１に配置されている小瞳孔径用リング状開口部２０７ｂが光路に挿入しほぼ光軸上に位置する（図４（ｂ））。
【００３９】
本実施形態では絞り板３１１が内外径ともに異なる二つのリング状開口部を有する例を用いたが、絞り板は内径のみが異なる複数のリング状開口部を有していても良い。なお、小瞳孔撮影時に小瞳孔撮影できる構成ならば何でも良く、例えば、特開２００４−１８０７０８号公報のように、小瞳孔撮影時に遮蔽部材を挿入する構成でもよい。また、小瞳孔用の絞りへの変更を示す表示形態を表示部に表示させることが好ましい。これにより、ユーザは現在の装置状態を容易に視認できるので、誤操作を防止することができる。
【００４０】
２）固視標
一方、ダイクロイックミラー２０６の反射方向には、固視標投影光学系が配置されている。固視標投影光学系の光路０３上には、レンズ２１１、ダイクロイックミラー２１２、レンズ２１３、折り返しミラー２１４、レンズ２１５、固視標２１６、固視標照明用光源２１７が順次に配列されている。
【００４１】
固視誘導時に、点灯された固視標照明用光源２１７の投影光束は、固視標２１６を裏側から照明し、レンズ２１５、折り返しミラー２１４、レンズ２１３、ダイクロイックミラー２１２、レンズ２１１を介して被検眼Ｅの眼底Ｅｒに投影される。なお、レンズ２１５は被検眼Ｅの視度誘導を行い雲霧状態を実現するために、固視誘導モータ２２４により光軸方向に移動できるようになっている。
【００４２】
ここで、固視標２１６を所定の基準位置に配置して予備測定（第1回目の測定）を行い、求められた眼屈折力値から、その屈折力値に相当する位置まで、モータ駆動回路を介して固視標誘導モータ（不図示）を駆動し、レンズ２１５を移動させる。これにより、被検眼Ｅの屈折度に相当する屈折度で、固視標２１６を被検眼Ｅに呈示する。その後、レンズ２１５を所定量だけ遠方に移動し、固視標２１６を雲霧させ、再び測定光源２０１を点灯し屈折力を測定する。このように、屈折力の測定、固視標２１６による雲霧、屈折力の測定を繰り返し、屈折力が安定する最終の測定値を得ることができる。
【００４３】
（徹照観察モード）
被検眼眼底からの反射光束により照明された瞳孔領域（徹照像）を動画像として観察する徹照観察モードでは、以下のような光源の点灯、消灯を形成する。即ち、測定光源２０１が点灯されており、前眼部照明光源２２１ａ、２２１ｂが消灯される。そして、拡散板２２２およびアライメントプリズム絞り２２３を光路から退避させた状態となる。即ち、測定光源２０１から眼底Ｅｒに投影され、眼底Ｅｒから反射した光束により瞳孔領域が照明され、瞳孔領域の光束の一部がダイクロイックミラー２０６で反射されて、レンズ２１１を介してダイクロイックミラー２１２で反射される。
【００４４】
そして、レンズ２１８により撮像素子２２０に瞳孔領域が投影される。徹照像を取得する徹照像取得手段としての撮像素子２２０に投影された瞳孔領域は、ＬＣＤモニタ１１６に表示され、瞳孔領域に混濁箇所があるか否かを観察できる。
【００４５】
徹照観察モードでは、後述するように通常瞳孔径用のリング状開口部２０７ａから小瞳孔径用のリング状開口部２０７ｂに切り換えられ、測定光源２０１の光量を上げ、かつＣＣＤなどの撮像素子２２０、２１０の撮像ゲインを上げて受光感度を上げる。このような切り替えおよび変化は、徹照観察される被検眼瞳孔領域、もしくは眼屈折力情報測定モードにおいて撮像される被検眼眼底からの反射光束を表示手段に表示する開始信号と同期して、システム制御部４００（図１）により自動的に行われる。なお、測定用光源２０１、外眼照明光源２２１ａ，２２１ｂ、固視標光源２１７の点灯、消灯、光量変更もシステム制御部４００（図１）を用いて行われる。
【００４６】
眼屈折力情報検出手段による眼屈折力情報検出モードから徹照観察手段による徹照観察モードへの移行は、以下に詳述するように所定の条件を満たさない場合に自動的に行われる。この場合、リング状開口部の切り換え、測定光源２０１の光量増加、拡散板２２２およびアライメントプリズム絞り２２３の光路外への退避、前眼部照明光源２２１ａ、２２１ｂの消灯が、徹照観察モードへの自動移行として具体的に行われる。
【００４７】
徹照観察を行う徹照観察モードでは、被検眼眼底に投光された光束の反射光は、被検眼瞳孔Ｅｐとほぼ共役な絞り２０７および光束分光プリズム２０８で瞳分離され、撮像素子２１０の受光面にリング像として撮像可能である。そして、撮像された反射光束としてのリング像の状態に基づき、被検眼に対する装置の位置合わせ状態を変更可能である。
【００４８】
（システム全体制御）
次に実際の測定フロー（図７）について説明する。測定開始すると、システム制御部（不図示）はオートアライメントを開始させて測定部の位置合わせを行う。この時、リング状開口部２０７は、通常瞳孔径測定用リング状開口部２０７ａがほぼ光軸上に位置している（図４（ａ））が、検者の選択により、小瞳孔径用リング状開口部２０７ｂがほぼ光軸上に位置していても良い。位置合わせが完了すると、眼屈折力（第一測定）を測定するために、測定光源２０１は被検眼Ｅの眼底Ｅｒに測定光束を投影する。その時の光量は製造工程にて調整した値を使用する。
【００４９】
眼底Ｅｒからの反射光は瞳孔Ｅｐとほぼ共役な位置に配置されたリング状開口部２０７を介して、リング像として撮像素子２１０で受光されて、そのリング像から被検眼Ｅの眼屈折力を算出する。ここで第一測定が完了する。ここで、第一測定で得られたリング像の明るさから次の第二測定での光量を決定するための光量調整を行う。たとえば、得られたリング像が所定の値よりも暗かった場合には光量を上げ、逆に所定の値よりも明るかった場合には光量を下げる。これらは被検眼により異なり、ここで決定した光量はその被検者を測定するときの初期値となる。
【００５０】
次に、眼屈折力（第二測定）を行う。第一測定で得られた眼屈折力値からその屈折力値に相当する位置まで、モータ駆動回路４１４を介して固視標誘導モータ２２４を駆動し、レンズ２１５を移動して、被検眼Ｅの屈折度に相当する屈折度で固視標２１６を被検眼Ｅに呈示する。
【００５１】
その後、レンズ２１５を所定量だけ遠方に移動し、固視標２１６を雲霧させ、再び測定光源を点灯し屈折力を測定する。このように、屈折力の測定→固視標２１６による雲霧→屈折力の測定を繰り返し、屈折力が安定する最終の測定値を得ることができる。これにより第二測定が終了する。即ち、測定エラーが発生しない場合は測定結果（被検眼の固有情報の取得結果）をＬＣＤモニタ１１６に表示し測定終了とする。
【００５２】
しかし、水晶体に混濁を持った被検眼の場合では、測定光源２０１の投影光束が通過する瞳孔中心部と混濁箇所が合致する場合は投影光束が眼底Ｅｒに届かず、撮像素子２１０で反射光が撮像されず測定自体ができない。また、図６（ａ）に示すような箇所に混濁を持った被検眼６０１では、投影光束は眼底Ｅｒに届いたとしても反射光が混濁により部分的に遮られる。即ち、図６（ｂ）に示すように屈折力算出のためのリング像６０２が一部欠けたり、若しくはぼやけたりし、信頼度の低い測定結果しか得られなくなる。
【００５３】
そこで、信頼性評価手段３００（図１）で、眼屈折力測定モードにおいて眼屈折力算出のためのリング像が得られなかった場合や、リング像の一部が欠けたり、ぼやけたりして正確な測定結果が得られなかった場合などを検出する。信頼性評価手段３００で、混濁が認められるために徹照観察が必要と判断される場合、眼屈折力測定モードから自動で徹照観察モードに切り替える。なお、眼屈折力測定モードから手動で徹照観察モードに切り替えるようにしても良い。また、信頼性評価手段３００を介さずに、検者が必要に応じて、眼屈折力測定モードから徹照観察モードに切り替えることが選択できるように装置を構成しても良い。
【００５４】
いずれの場合も、徹照観察モードに切り替わると、徹照観察像を表示する信号が出力されることと同期して、リング状開口部２０７を有する絞り板３１１が装着されているレバー３０３がアクチュエータ３０２の駆動により回動する。即ち、徹照観察モードに切り替わると、自動的に小瞳孔径測定用のリング状開口部２０７ｂがほぼ光軸上に位置される（図４（ｂ））。
【００５５】
この時、測定光源は点灯して光束が眼底に投影した状態にあるが、リング状開口部を小瞳孔径用に切換えた信号と同期して、所定の量だけ測定光源の光量も上げて、かつ受光手段であるＣＣＤのゲインを上げて受光感度を上げる。これにより、小瞳孔径用のリング状開口部２０７ｂに切換えたことによる受光量不足を起因とする測定値のばらつきなどを回避することができる。リング状開口部２０７を切換える信号と同期するのは、測定光量、受光ゲインいずれかのみでもよい。
【００５６】
また、ＬＣＤ表示部１１６には徹照画像とリング像が表示されているため、ジョイスティック１０１を操作して水晶体の混濁が無く、リング像が混濁している箇所にかからない位置まで測定ユニット１１０の位置合わせをする。なお、位置合わせに関しては、リング像をＬＣＤ表示部１１６に表示しなくても、撮像素子２１０でリング像が撮像されていることから、撮像信号を用いて位置合わせを行わせることも可能である。
【００５７】
測定ユニット１０１の位置合わせが完了したところで、測定開始釦を押下して徹照観察モードから測定モードに切換える。測定開始釦を押下して徹照観察モードを終了させる信号が本体制御部から出力されると、その信号に同期してリング状開口部２０７は通常瞳孔径用のリング状開口部２０７ａに切り替わる。同時に受光手段であるＣＣＤのゲインも小瞳孔径用のリング状開口部に切換る前の値に戻る。
【００５８】
なお、測定ユニット１０１の位置合わせが完了したところで、測定開始釦を押下して徹照観察モードを終了させる信号が本体制御部から出力されるが、以下のように、小瞳孔径測定用のリング状開口部２０７ｂのままで測定モードに切り換えることも可能である。即ち、徹照観察モードから眼屈折力情報測定手段を用いた眼屈折力情報測定モードへ移行する場合、通常瞳孔径用のリング状開口部２０７ａに切り替えずに、小瞳孔径測定用のリング状開口部２０７ｂのままで眼屈折力測定を行うようにしても良い。
【００５９】
もし、徹照観察によって水晶体の混濁もなかった場合には、測定ユニットの位置合わせ調整を行わずに、測定開始釦を押下して再度自動測定モードで測定を行う。その時も前述の通り、徹照観察モードを終了させる信号が本体制御部から出力されると、その信号と同期して、ング状開口部は通常瞳孔径用のリング状開口部２０７ａに切り替わる。
【００６０】
本実施形態では、水晶体の混濁を自動で判別して、自動で測定モードから徹照観察モードに切り替えているが、手動で測定モードから徹照観察モードに切り替えた場合でも、同様に徹照観察モードを開始する信号と同期して、リング状開口部を自動的に切り換える。本実施形態によれば、徹照観察モードに移行した場合、被検眼瞳孔と共役なリング状開口部の光軸からの半径をより小さくした開口部へ自動で切換え、水晶体の混濁が無く眼屈折力測定可能な箇所を容易かつ迅速に探し出せる。
【００６１】
あるいは、眼屈折力情報測定モードに移行した場合、被検眼瞳孔と共役なリング状開口部の光軸からの半径をより大きくした開口部へ自動で切換え、水晶体の混濁が無く眼屈折力測定可能な箇所での眼屈折力測定を容易かつ迅速に行える。
【００６２】
以上、本発明の実施形態を説明したが、本発明の範囲内で、上述した技術事項の種々の組合せあるいは変形を行うことが可能である。
【００６３】
（変形例１）
上述した実施形態では、被検眼瞳孔の中心より被検眼眼底へ光束を投影し、被検眼眼底からの反射光路内でリング状開口部２０７ａ、２０７ｂを介して被検眼瞳孔の周辺部より被検眼眼底からの反射光束を受光する構成を述べたが、逆の構成としても良い。即ち、被検眼眼底への投影光路内で被検眼瞳孔と共役な位置に設けられるリング状開口部介して被検眼瞳孔の周辺部より被検眼眼底へ光束を投影し、被検眼瞳孔の中心部より被検眼眼底からの反射光束を受光するようにしても良い。
【００６４】
また、上述した実施形態のように第１の開口としてのリング状開口部２０７ａ、第２の開口としてのリング状開口部２０７ｂを光路内の同一位置に設ける替わりに、リング状開口部２０７ａ、２０７ｂを互いに光学的に共役な位置に設けても良い。
【００６５】
また、第１の開口としてのリング状開口部２０７ａ、第２の開口としてのリング状開口部２０７ｂに替えて、少なくとも３経線方向の開口部を備えた構成としても良い。この場合、徹照観察手段による徹照観察モードへ自動移行もしくは手動移行させる場合に、少なくとも３経線方向の開口部（第１の開口）の光軸からの半径をより小さくした少なくとも３経線方向の開口部を備える第２の開口へ自動で切り換える構成とする。この場合も、第２の開口を被検眼瞳孔に投影した場合の開口部の光軸からの半径は、第１の開口を被検眼瞳孔に投影した場合の開口部の光軸からの半径より小さく設定される。
【００６６】
そして、第１の開口の開口部に対し、第２の開口の開口部を、同じ経線方向としても良いし、異なる経線方向に可変としても良い。即ち、第１の開口の開口部が０度、１２０度、２４０度の３経線方向である一方、第２の開口の開口部を水晶体混濁箇所を避けるような異なる３経線方向（例えば４５度、１６５度、２８５度）とすることもできる。
【００６７】
（変形例２）
上述した実施形態においては、徹照観察モードから眼屈折力情報測定モードに移行する場合、通常瞳孔径用リング状開口部２０７ａに戻して眼屈折力測定を行ったが、小瞳孔径用リング状開口部２０７ｂのままで眼屈折力測定を行うこともできる。
【００６８】
（変形例３）
上述した実施形態においては、初期状態で、通常瞳孔径用リング状開口部２０７ａが光軸上に配置されていたが、例えば検者の選択により、初期状態から小瞳孔径用リング状開口部２０７ｂが光軸上に配置されていても良い。この場合、初期状態から眼屈折力情報測定モードに初期的に移行すると、通常瞳孔径用リング状開口部２０７ａに切り換えられる。
【００６９】
その後、眼屈折力情報測定モードから徹照観察モードへ自動移行もしくは手動移行させる場合に、通常瞳孔径用リング状開口部２０７ａから小瞳孔径用リング状開口部２０７ｂに自動的に切り換えられることは、上述したものと同様である。
【００７０】
また、徹照観察モードから眼屈折力情報測定モードへ自動移行もしくは手動移行させる場合に、小瞳孔径用リング状開口部２０７ｂから通常瞳孔径用リング状開口部２０７ａに自動的に切り換えられることは、上述したものと同様である。
【００７１】
（変形例４）
なお、実施形態においては眼屈折力測定装置について説明したが、これに角膜形状測定機能等、他の機能が付加された装置に適用してもよい。また、眼底カメラ、眼底血流計、近赤外レーザーの光干渉による眼底断層像の撮像装置（ＯＣＴ）など他の眼科装置であっても、本発明を同様に適用できる。また、撮像素子はエリアセンサでもラインセンサでもどちらでもよい。また、本実施形態で示した以外の測定原理を用いた眼屈折力測定装置であってもよい。
（その他の実施例）
また、本発明は、更に眼科制御方法として、被検眼の固有情報を第１の開口により取得する固有情報取得ステップと、前記被検眼の徹照像を取得する徹照像取得ステップと、を有する。かつ、更に、前記徹照像を取得する場合に、前記第１の開口よりも小さい第２の開口に変更する制御ステップと、を有する。
【００７２】
そして、眼科制御プログラムとして、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７３】
２０１・・測定光源（徹照観察光源を兼用）、２０７ａ・・通常瞳孔径用リング状開口部、２０７ｂ・・小瞳孔径用リング状開口部、２０８・・光束分光プリズム、２１０・・撮像素子（眼底反射リング光束の撮像）、２２０・・撮像素子（徹照観察の瞳孔領域の撮像および前眼部の撮像）、４００・・システム制御部、Ｅｐ・・・被検眼瞳孔、Ｅｒ・・・被検眼眼底
【図１】
2013128648.tif 000003
【図２】
2013128648.tif 000004
【図３】
2013128648.tif 000005
【図４】
2013128648.tif 000006
【図５】
2013128648.tif 000007
【図６】
2013128648.tif 000008
【図７】
2013128648.tif 000009